(57)【特許請求の範囲】
【請求項１】
一つの通信データを伝送する多重波伝送路における各伝送路毎に受信タイミングを特定するタイミング特定手段と、前記受信タイミングが特定された前記伝送路における通信データ毎に受信レベルを検知する受信レベル検知手段と、前記伝送路毎に複数設けられ、該伝送路における前記通信データを復調する復調手段と、を備えた受信装置において、
前記受信レベル検知手段により検知された複数の通信データを受信レベルの高い順に前記復調手段へ順次割り付ける制御を行う制御手段と、
前記制御手段により前記通信データを前記復調手段に割り付ける毎に、前記各復調手段に割り付けられた通信データの受信レベルを積算する積算手段を備え、
前記制御手段は、
前記復調手段の全てに前記通信データを割り付ける前に前記積算手段により積算された積算値が所定値を超えた場合、その割り付け制御を停止し、前記積算値が所定値を超える前に前記復調手段の全てに前記通信データを割り付けた場合、その割り付け制御を停止することを特徴とする受信装置。
【請求項２】
一つの通信データを伝送する多重波伝送路における各伝送路毎に受信タイミングを特定する工程と、前記受信タイミングが特定された前記伝送路における通信データ毎に受信レベルを検知する工程と、前記伝送路毎に複数設けられた復調手段において前記通信データを復調する工程と、を含む受信方法において、
前記検知された複数の通信データを受信レベルの高い順に前記復調手段へ順次割り付ける制御を行う工程と、
前記通信データを前記復調手段に割り付ける毎に、前記各復調手段に割り付けられた通信データの受信レベルを積算する工程と、
前記復調手段の全てに前記通信データを割り付ける前に前記積算された積算値が所定値を超えた場合、その割り付け制御を停止し、前記積算値が所定値を超える前に前記復調手段の全てに前記通信データを割り付けた場合、その割り付け制御を停止する工程と、
を含むことを特徴とする受信方法。
【発明の詳細な説明】
【０００１】
【発明の属する技術分野】
本発明は、携帯電話が備える受信装置、及び、その受信方法に関する。
【０００２】
【従来の技術】
近時、マルチチャネル化が可能な携帯電話のアクセス方式として、ＣＤＭＡ（Code Division Multiple Access：符号分割多元接続）と呼ばれるスペクトラム拡散技術を用いた方式が提案されている。このＣＤＭＡ方式は、ユーザ毎に異なる拡散符号を割り当てることでチャネルを分離する方式で、従来のＴＤＭＡ方式に比べ、周波数帯域幅あたりのユーザ・チャネル数を多く設定できる。
【０００３】
このＣＤＭＡ方式の携帯電話が備える受信装置では、電波の反射などによる時間差（パス遅延時間）や位相差を伴って受信されたマルチパスを、時間・位相を揃えて合成するレイク（rake）受信によるパスダイバーシィティ効果により、携帯電話における受信特性の改善を図ることが可能であり、これにより高い通信品質が実現される。
【０００４】
ここで、上記レイク受信は、パスサーチャ（path sercher；図１に示すパスサーチャ１０参照）により受信タイミングが特定された同一チャネルに含まれるマルチパスの各シンボルを、フィンガ（finger；図１に示すフィンガ１〜Ｎ参照）と称される独立した複数の相関器により逆拡散し、それら逆拡散した上記各シンボルを、同一タイミングに調整して合成する受信処理である。
【０００５】
上記ＣＤＭＡ方式の携帯電話は、受信したマルチパスのタイミング変動を追従する為に、上記パスサーチャによりマルチパスを定期的に検出し、その検出結果に基づいて上記複数のフィンガに対するパスの割り付けを随時更新する。
【０００６】
また、従来は、上記定期的なマルチパスの検出処理において複数のマルチパスが検出された場合、割り付け可能なフィンガ数が許す限り、受信レベルの高いパス順にマルチパスの割り付けを行っていた。ここで、上記割り付け可能なフィンガ数は、各受信チャネル毎に予め設定されるものである。
【０００７】
次いで、上記各フィンガに対するマルチパスの割り付け例を以下に示す。
図５は、パスサーチャにより検出されたパスの数が割り付け可能なフィンガ数以下の場合、各フィンガ１〜４に対するマルチパスの割り付け例を示す図であり、図６は、パスサーチャにより検出されたパスの数が割り付け可能なフィンガ数より多い場合、各フィンガ１〜４に対するマルチパスの割り付け例を示す図である。
【０００８】
また、図５、図６に示す横軸は、マルチパスに対する受信時間の差を表すパス遅延時間を示し、縦軸は各パスにおける受信レベルを示す。
【０００９】
図５に示す例は、割り付け可能なフィンガの数が４（フィンガ１〜４）、及び上記パスサーチャにより検出されたパスの数が３（図中符号Ｑ１〜Ｑ３参照）の場合、図中符号Ｑ１に示すパスがフィンガ１に、図中符号Ｑ２に示すパスがフィンガ３に、図中符号Ｑ３に示すパスがフィンガ２にそれぞれ割り付けられていることを示している。
【００１０】
図６に示す例は、割り付け可能なフィンガの数が４（フィンガ１〜４）、及び上記パスサーチャにより検出されたパスの数が６（図中符号Ｒ１〜Ｒ６参照）の場合、図中符号Ｒ１に示すパスがフィンガ１に、図中符号Ｒ２に示すパスがフィンガ２に、図中符号Ｒ３に示すパスがフィンガ３に、図中符号Ｒ４に示すパスがフィンガ４にそれぞれ割り付けられ、図中符号Ｒ５、Ｒ６に示すパスがフィンガ１〜４の何れにも割り付けられていないことを示している。
【００１１】
【発明が解決しようとする課題】
しかし、上記従来の携帯電話においては、以下のような問題点があった。上記従来の携帯電話が備える受信装置では、割り付け可能なフィンガに上記パスサーチャにより検出されたパスがフィンガ数の許す限り割り付けられていた。
【００１２】
この為、上記パスサーチャにより検出されたパスのうち、その一部のパスだけで十分な受信特性が確保されても、それ以上割り付ける必要のない残りのパスまで割り付けられていたので、これら割り付ける必要のないフィンガを動作させる為の電力が無駄に消費され、従って電力消費の効率化が望まれていた。
【００１３】
例えば、割り付け可能なフィンガが３つ以上ある場合、受信状態が良好な地理的条件下において受信レベルの高い３つのパスが上記パスサーチャにより検出された際、これら３つのパス全てが上記フィンガにそれぞれ割り付けられていた。
【００１４】
また、例えば、十分な受信特性を確保できる高受信レベルのパスが２つ検出された後、高受信レベルのバスが更に１つ検出された際には、上記２つの高受信レベルのパスに加え、上記更に１つ検出された高受信レベルのパスもフィンガに割り付けられていた。
【００１５】
本発明の課題は、ＣＤＭＡ方式の携帯電話が備える受信装置、及び、その受信方法において、消費電力の低減化を図ることを目的とする。
【００１６】
【課題を解決するための手段】
請求項１記載の発明は、一つの通信データを伝送する多重波伝送路における各伝送路毎に受信タイミングを特定するタイミング特定手段と、前記受信タイミングが特定された前記伝送路における通信データ毎に受信レベルを検知する受信レベル検知手段と、前記伝送路毎に複数設けられ、該伝送路における前記通信データを復調する復調手段と、を備えた受信装置において、前記受信レベル検知手段により検知された複数の通信データを受信レベルの高い順に前記復調手段へ順次割り付ける制御を行う制御手段と、前記制御手段により前記通信データを前記復調手段に割り付ける毎に、前記各復調手段に割り付けられた通信データの受信レベルを積算する積算手段を備え、前記制御手段は、前記復調手段の全てに前記通信データを割り付ける前に前記積算手段により積算された積算値が所定値を超えた場合、その割り付け制御を停止し、前記積算値が所定値を超える前に前記復調手段の全てに前記通信データを割り付けた場合、その割り付け制御を停止することを特徴とする。
【００１７】
【発明の実施の形態】
以下、図１〜図２を参照して本発明を適用した受信機１００について詳細に説明する。なお、本発明を適用した受信機１００は、ＣＤＭＡ方式に基づく携帯電話（図示略）のＢＢ（Base Band）部に搭載された受信機であるとする。
【００１８】
まず、受信機１００の構成を説明する前に、受信機１００を搭載した上記ＣＤＭＡ方式に基づく携帯電話の構成の概略を説明する。
上記受信機１００を搭載する携帯電話は、受信機１００を備えたＢＢ部の他に、例えば、ＣＰＵ（Central Processing Unit）、ＲＦ（Radio Frequancy）部、記憶部、アンテナ、入力部、ＬＣＤ（Liquid Crystal Display）、スピーカ、及び、マイク等を備えて構成される（受信機１００を除いて、何れも図示略）。
【００１９】
上記携帯電話が備えるＣＰＵは、上記入力部による入力指示および入力データに応じて、上記記憶部内に格納された所定プログラムに従って各種処理を実行し、その処理結果を上記記憶部内に形成されたワークメモリエリア（図示略）に記憶すると共に、上記ＬＣＤやスピーカに出力する、或いは、上記ＢＢ部、ＲＦ部、及びアンテナを介して外部に送信する。
【００２０】
上記ＢＢ部は、送信機（図示略）、及び、後述する受信機１００等を具備し、上記ＲＦ部から入力された通信データと、このＲＦ部に出力する通信データとに対するフレーム処理等を行う。
【００２１】
上記キー部は、オンフックキー、オフフックキー、電話番号及び文字データを主に入力するテンキー、及び実行キー等の各種操作キーを備え（何れも図示略）、上記ＬＣＤは、上記ＣＰＵから入力された、メニュー画面、メール編集画面、電話帳を検索する検索画面、及び、着信画面等の各種表示情報を表示する。
【００２２】
次いで、本発明を適用した受信機１００の構成を説明する。
図１は、受信機１００の内部構成を示すブロック図である。
【００２３】
図１に示すように、受信機１００は、パスサーチャ１０、復調部２０、フィンガマネージャ３０、合成部４０等を備えて構成される。
【００２４】
ここで、パスサーチャ１０は、請求項１記載のタイミング特定手段、及び受信レベル検知手段が有する機能と同一機能を備え、復調部２０、フィンガマネージャ３０は、それぞれ請求項１記載の復調手段、制御手段が有する機能と同一機能を備える。
【００２５】
パスサーチャ１０は、受信したマルチパスに含まれる各パスの受信タイミング及び受信レベルを検知すると共に、その検知データをフィンガマネージャ３０に出力する。
【００２６】
復調部２０は、フィンガと称する独立した複数の相関器を備え、パスサーチャ１０により指示されたタイミング及びフィンガに対して、受信データ（シンボル）を逆拡散処理し、それら逆拡散処理により得られた各パスのシンボルを合成部４０にそれぞれ出力する。なお、図１には、所定チャネルに対する割り付け可能フィンガ１〜Ｎが示されている。
【００２７】
フィンガマネージャ３０は、受信チャネル毎に割り付け可能なフィンガ数Ｎを特定すると共に、パスサーチャ１０により入力された上記検知データに基づいて、復調部２０の各フィンガ１〜Ｎに対するパスの割り付けを制御する。
【００２８】
すなわち、フィンガマネージャ３０は、上記受信タイミングが検知されたパスのうち、同一チャネルにおける受信レベルの高いパス順に各フィンガ１〜Ｎへのパスの割り付け処理を行う。この際、フィンガマネージャ３０は、上記割り付けた各パスの受信レベルをその都度積算し、その積算値と、図示しないフィンガマネージャ３０の内蔵メモリに予め記憶された積算閾値Ｘとの大小を比較する。
【００２９】
フィンガマネージャ３０は、割り付け済みフィンガ数が割り付け可能なフィンガ数に達する前に、上記積算値が積算閾値Ｘを超えた場合、及び、上記積算値が積算閾値Ｘを超える前に、割り付け済みフィンガ数が割り付け可能なフィンガ数に達した場合、その時点でパスの割り付け処理を停止する。
【００３０】
合成部４０は、復調部３０から非同期に入力された各パスのシンボルを同期する（タイミングを合わせる）処理を行った後、それら各シンボルを合成し、後段に出力する。
【００３１】
次いで、本発明を適用した受信機１００の動作を説明する。
図２は、受信機１００におけるパスの割り付け処理を説明するフローチャートである。
【００３２】
まず、フィンガマネージャ３０は、上記各パスに対する受信レベルの積算閾値Ｘを上記内蔵メモリに予め記憶すると共に（ステップＳ１０）、各チャネルに割り当てる割り付け可能フィンガ数Ｎを特定する。
【００３３】
次いでフィンガマネージャ３０は、所定チャネルにおけるマルチパスを受信すると、パスサーチャ１０によりマルチパスのタイミングと受信レベルを検知すると共に、受信レベルの大きいパス順に、これらマルチパスを各フィンガ１〜Ｎへ順次割り付ける（ステップＳ１１）。
【００３４】
ここで、図３、図４を参照して、上記各フィンガ１〜Ｎに対するマルチパスの割り付け例を示す。
図３は、マルチパスの受信レベルの積算値が積算閾値Ｘに達する前に割り付け済みフィンガ数が割り付け可能フィンガ数に至った場合におけるマルチパスの割り付け例を示す図であり、図４は、割り付け済みフィンガ数が割り付け可能フィンガ数に達する前に割り付け済みパスの受信レベルの積算値が積算閾値Ｘに至った場合におけるマルチパスの割り付け例を示す図である。
【００３５】
また、図３、図４に示すパスサーチャ１０により検知されたマルチパス（パスの数は６つ）は同一のものとし、同一図中符号Ａ１〜Ａ６により各パスを示す。更に、本実施の形態において説明する受信チャネルは、説明の簡略化の為、一つの受信チャネルだけ示してあり、この受信チャネルのマルチパスに割り当てられた割り付け可能フィンガ数Ｎは４である（フィンガ１〜４）。
【００３６】
図３、図４に示す横軸はパスの受信時間の差を表すパス遅延時間を示し、縦軸は各パスにおける受信レベルを示す。
【００３７】
図３、図４に示すように、フィンガマネージャ３０は、受信したマルチパスのうち最も受信レベルの高い図中符号Ａ１に示すパスをフィンガ１に割り付け、次に受信レベルの高い図中符号Ａ４に示すパスをフィンガ２に割り付け、更に受信レベルの高い図中符号Ａ２に示すパスをフィンガ３に割り付ける。
【００３８】
再び、図２のフローチャートに戻って説明する。ステップＳ１１に示す各フィンガ１〜４へのパスの割り付け処理の後、フィンガマネージャ３０は、上記各フィンガ１〜Ｎに割り付けた各パスの受信レベルをその都度積算する（ステップＳ１２）。
【００３９】
例えば、図３、図４に示すように、図中符号Ａ１、Ａ４、Ａ２に示す各パスをこの順にフィンガ１〜３に割り付ける際、これら割り付けた各パスの受信レベルをその都度積算する。
【００４０】
次いで、フィンガマネージャ３０は、ステップＳ１２において積算した各パスにおける受信レベルの積算値が、フィンガマネージャ３０の内蔵メモリ（図示略）に予め記憶された積算閾値Ｘを超えたか否かを判定する（ステップＳ１３）。
【００４１】
ステップＳ１３において、上記各パスの受信レベルの積算値が、上記積算閾値Ｘを超えていない場合（ステップＳ１３；Ｎｏ）、フィンガマネージャ３０は、割り付け済みフィンガ数が割り付け可能なフィンガ数Ｎに達したか否かを判定する（ステップＳ１４）。
【００４２】
例えば、図３、図４に示すように、割り付け可能フィンガ数が４の場合、各パスにおける受信レベルの積算値が積算閾値Ｘに達しない限り、フィンガマネージャ３０は、割り付け済みフィンガ数が４に至ったか否かの判定をその都度行う。
【００４３】
ステップＳ１４において、割り付け済みフィンガ数が割り付け可能フィンガ数Ｎに達していない場合（ステップＳ１４；Ｎｏ）、フィンガマネージャ３０は、ステップＳ１１に移行してフィンガの割り付け処理を継続する。
【００４４】
例えば、図３に示すように、割り付け可能フィンガ数が４の場合、各パスにおける受信レベルの積算値が積算閾値Ｘに達しない限り、割り付け済みフィンガ数が４に達するまでフィンガ１〜４への割り付け処理を繰り返す。
【００４５】
ステップＳ１３において、上記各パスの受信レベルの積算値が、上記積算閾値Ｘを超えた場合（ステップＳ１３；Ｙｅｓ）、フィンガマネージャ３０は、各フィンガ１〜Ｎへの割り付け処理を停止する（ステップＳ１５）。
【００４６】
例えば、図４に示すように、図中符号Ａ１、Ａ４、Ａ２に示すパスの順に、フィンガ１〜３に割り付け処理が行われ、それら各パスの受信レベルの積算値が積算閾値Ｘを超えた場合、フィンガマネージャ３０は、割り付け可能フィンガが１つ空いているにも拘わらず、図中符号Ａ３に示すパスをフィンガ４に割り付けることなく、各フィンガ１〜４への割り付け処理を停止する。
【００４７】
ステップＳ１５において、各フィンガ１〜Ｎへの割り付け処理を停止した後、フィンガマネージャ３０は、各フィンガ１〜Ｎにおいて逆拡散処理された各パスのシンボルを合成部４０に出力し、合成部４０において、これら非同期に出力された各パスのシンボルを同期した後、合成する（ステップＳ１６）。
【００４８】
以上説明したように、本発明を適用した受信機１００は、受信したマルチパスに含まれる各パスを復調部２０が備える各フィンガ１〜Ｎに割り付け処理する際、各パスにおける受信レベルの積算値が積算閾値Ｘを超えたか否かをその都度判定し、上記受信レベルの積算値が積算閾値Ｘを超えた場合、例え割り付け可能なフィンガが存在する場合においても、割り付け処理を停止し、上記受信レベルの積算値が積算閾値Ｘを超えていない場合、割り付け済みのフィンガの数が割り付け可能なフィンガ数Ｎに達するまで、この割り付け処理を継続する機能を備える。
【００４９】
従って、十分安定した受信状態においては、パスサーチャ１０により検出されたパスのうち、その一部のパスだけで十分な受信特性が確保される場合においても、それ以上割り付け不要なパスをフィンガへ割り付けることが回避できるので、これら割り付ける必要のないフィンガを動作させる為の電力消費が削減でき、電力消費の低減化が図られる。
【００５０】
なお、本発明は、上記実施例に限定されるものではなく、本発明の趣旨を逸脱しない範囲で適宜変更可能であることは言うまでもない。
【００５１】
【発明の効果】
本発明の受信装置によれば、ＣＤＭＡ方式の携帯電話が備える受信装置において、消費電力の低減化が実現できる。
【図面の簡単な説明】
【図１】本発明を適用した受信機１００の内部構成を示すブロック図である。
【図２】本発明を適用した受信機１００におけるパスの割り付け処理を説明するフローチャートである。
【図３】本発明を適用した受信機１００において、マルチパスの受信レベルの積算値が積算閾値Ｘに達する前に割り付け済みフィンガ数が割り付け可能フィンガ数に至った場合におけるマルチパスの割り付け例を示す図である。
【図４】本発明を適用した受信機１００において、割り付け済みフィンガ数が割り付け可能フィンガ数に達する前に割り付け済みパスの受信レベルの積算値が積算閾値Ｘに至った場合におけるマルチパスの割り付け例を示す図である。
【図５】従来の携帯電話が備える受信装置において、パスサーチャにより検出されたパスの数が割り付け可能なフィンガ数以下の場合、各フィンガ１〜４に対するマルチパスの割り付け例を示す図である。
【図６】従来の携帯電話が備える受信装置において、パスサーチャにより検出されたパスの数が割り付け可能なフィンガ数より多い場合、各フィンガ１〜４に対するマルチパスの割り付け例を示す図である。
【符号の説明】
１００  受信機
１０  パスサーチャ
２０  復調部
３０  フィンガマネージャ
４０  合成部
【図１】
0003718457.tif 000002
【図２】
0003718457.tif 000003
【図３】
0003718457.tif 000004
【図４】
0003718457.tif 000005
【図５】
0003718457.tif 000006
【図６】
0003718457.tif 000007